Podtech/llm-jp-corpus-v4-ja_patent huggingface dataset:
【手続補正書】
【提出日】平成30年8月28日(2018.8.28)
【手続補正１】
【補正対象書類名】明細書
【補正対象項目名】００６１
【補正方法】変更
【補正の内容】
【００６１】
素材Ｍ１は、更に単糖及び二糖から選ばれる少なくとも一種の糖を含有していてもよい。マイクロニードル２の先端部分を構成する素材Ｍ１に含有できる糖としては、グルコース、フルクトース、エリトロール、トレオース、リボース、リキソース、キシロース、アラミノース、アロース、ホカロース、グロース、アルトロース、マンノース、イドース、エリトルロース、キシルロース、リブロース、プシコース、ソルボース、タガトース又はガラクトースなどの単糖、又は、スクロース、ラクツロース、ラクトース、マルトース、トレハロース又はセロビオースなどの二糖が例示される。上記の中でも、スクロースが好ましい。